(57)【要約】【課題】例えば再生中に表示されたパスワードのヒントを見ても分からない場合でも、ユーザはパスワードを知ることができ、しかもＨｉｄｄｅｎグループを後の楽しみで再生することができる機能を有する光ディスク再生装置を提供する。【解決手段】光ディスク１に対する再生動作が開始すると、光ディスク１から読み出されたオーディオ・マネージャ情報を記憶処理手段２２１によりＲＡＭ２３に記憶し、パスワードが不要で再生可能な全てのグループのオーディオ情報の再生が終了した後、オーディオ・マネージャ情報に含まれるＨｉｄｄｅｎグループ情報に基づいて、光ディスク１にＨｉｄｄｅｎグループが有るとＨｉｄｄｅｎグループ有無判定手段２２２により判定されると、パスワード表示処理手段２２３によりパスワードがディスプレイ装置２０に表示される。【選択図】      図１
2004362702.tif 000002
【特許請求の範囲】
【請求項１】
光ディスクにＤＶＤオーディオ規格で記録されたオーディオ情報を再生する光ディスク再生装置において、当該光ディスクに記録された本編のオーディオ情報を再生する前に、当該光ディスクから読み出されたオーディオ・マネージャ情報をメモリに記憶する記憶処理手段と、パスワードが不要で再生可能な全てのグループのオーディオ情報の再生を実行して再生が終了した後、前記メモリからオーディオ・マネージャ情報に含まれる隠蔽グループ情報を読み出し、その隠蔽グループ情報に基づいて当該光ディスクに隠蔽グループが有るか否かを判定する隠蔽グループ有無判定手段と、この隠蔽グループ有無判定手段により隠蔽グループがあると判定されたとき隠蔽グループ情報からパスワードを取り出し表示手段に表示させるパスワード表示処理手段とを有するシステムコントローラを備えたことを特徴とする光ディスク再生装置。
【請求項２】
光ディスクにＤＶＤオーディオ規格で記録されたオーディオ情報を再生する光ディスク再生装置において、パスワードが不要で再生可能な全てのグループのオーディオ情報の再生を実行して再生が終了した後、未再生の隠蔽グループが有れば、その隠蔽グループのオーディオ情報を再生するためのパスワードを表示手段に表示させる制御を行うシステムコントローラを備えたことを特徴とする光ディスク再生装置。
【請求項３】
前記システムコントローラは、当該光ディスクに記録された本編のオーディオ情報を再生する前に、当該光ディスクから読み出されたオーディオ・マネージャ情報をメモリに記憶する記憶処理手段と、パスワードが不要で再生可能な全てのグループのオーディオ情報の再生を実行して再生が終了した後、前記メモリからオーディオ・マネージャ情報に含まれる隠蔽グループ情報を読み出し、その隠蔽グループ情報に基づいて当該光ディスクに隠蔽グループが有るか否かを判定する隠蔽グループ有無判定手段と、この隠蔽グループ有無判定手段により隠蔽グループがあると判定されたとき隠蔽グループ情報からパスワードを取り出し表示手段に表示させるパスワード表示処理手段とを有することを特徴とする請求項２に記載の光ディスク再生装置。
【発明の詳細な説明】
【０００１】
【発明の属する技術分野】
本発明は、ＤＶＤオーディオ規格のオーディオ情報が記録されたＤＶＤ（Ｄｉｇｉｔａｌ  Ｖｅｒｓａｔｉｌｅ  Ｄｉｓｋ）  などの光ディスクに対してオーディオ情報を再生する光ディスク再生装置に関し、特に、Ｈｉｄｄｅｎ  （隠蔽）  グループのオーディオ情報も記録されたＤＶＤも再生可能な光ディスク再生装置に関する。
【０００２】
【従来の技術】
従来から、音楽などの音声の再生に必要なオーディオ情報と複数の静止画の再生に必要な静止画情報とが予め定めたＤＶＤオーディオ規格により記録されたＤＶＤなどの光ディスクが普及しており、このような光ディスクの情報を再生する光ディスク再生装置は、一般にＤＶＤオーディオ装置と呼ばれている。
【０００３】
ＤＶＤオーディオ規格によるオーディオ情報は、グループ分けされてＤＶＤに記録されており、通常は再生するのにパスワードが不要となっているが、ある特定のオーディオ情報を再生するのにパスワードを必要とするグループ、いわゆるＨｉｄｄｅｎ  （隠蔽）  グループがＤＶＤに記録されている場合がある。
【０００４】
【特許文献１】
特開２００２−３５２５６８号公報
【０００５】
【発明が解決しようとする課題】
ところで、Ｈｉｄｄｅｎグループのオーディオ情報を再生するには、ユーザがパスワードを知らなければならないが、再生しようとするＤＶＤの取扱説明書に記載されているパスワードを見て知ったり、そのＤＶＤを再生しているうちにパスワードのヒントが表示され、これによりパスワードを知ったりすることができる場合がある。
【０００６】
しかしながら、ＤＶＤの取扱説明書にパスワードが記載されていない場合や、再生中に表示されたパスワードのヒントを見ても、パスワードが分からなかった場合にはユーザはパスワードを知ることができず、  Ｈｉｄｄｅｎ  グループのオーディオ情報を再生することができないという課題が生じる。
【０００７】
そこで、特許文献１に記載された情報再生装置では、音声および映像情報が記録された光ディスクの再生を開始する前に、光ディスクにボーナスグループ（Ｈｉｄｄｅｎ  グループ  ）が存在すること、およびそのグループ番号を外部モニタを通してユーザに明示するとともに、ボーナスグループを再生するためのキー番号（パスワード）の入力要求が可能なように構成されている。
【０００８】
この従来の情報再生装置によれば、ボーナスグループの記録されているＤＶＤオーディオの光ディスクの情報を再生開始する前に、ユーザがある操作を行わなくても、その光ディスクにはボーナスグループが存在していることを、外部モニタに表示することにより、ボーナスグループの存在をより確実に認識させることができる。
【０００９】
しかし、ボーナスグループは、あくまでもユーザに対するボーナスのオーディオ情報であって、後の楽しみになるもので、上記従来の情報再生装置のように、光ディスクの情報を再生する前に、自動的に、ボーナスグループが存在していることを、外部モニタに表示することにより、ボーナスグループの存在をユーザに知らせるようにした場合、再生開始前からボーナスグループの存在が分かり、ユーザにとっては、再生中に表示されたパスワードのヒントを見て、パスワードを考えて入力し、ボーナスグループを再生するという楽しみがなくなり、ボーナス（  Ｈｉｄｄｅｎ  グループによるおまけ）の意味が強調されなくなる。
【００１０】
本発明は、上記のような課題を解決するためになされたもので、ディスク取扱説明書にパスワードが記載されていない場合や、再生中に表示されたパスワードのヒントを見ても分からない場合でも、ユーザはパスワードを知ることができ、しかも  Ｈｉｄｄｅｎ  グループを後の楽しみで再生することができる機能を有する光ディスク再生装置を提供することを目的とする。
【００１１】
【課題を解決するための手段】
上記目的を達成するために、請求項１の発明は、光ディスクにＤＶＤオーディオ規格で記録されたオーディオ情報を再生する光ディスク再生装置において、当該光ディスクに記録された本編のオーディオ情報を再生する前に、当該光ディスクから読み出されたオーディオ・マネージャ情報をメモリに記憶する記憶処理手段と、パスワードが不要で再生可能な全てのグループのオーディオ情報の再生を実行して再生が終了した後、前記メモリからオーディオ・マネージャ情報に含まれる隠蔽グループ情報を読み出し、その隠蔽グループ情報に基づいて当該光ディスクに隠蔽グループが有るか否かを判定する隠蔽グループ有無判定手段と、この隠蔽グループ有無判定手段により隠蔽グループがあると判定されたとき隠蔽グループ情報からパスワードを取り出し表示手段に表示させるパスワード表示処理手段とを有するシステムコントローラを備えたことを特徴とする光ディスク再生装置。
【００１２】
この構成において、光ディスクに対する再生動作が開始すると、記憶処理手段は、光ディスクから読み出されたオーディオ・マネージャ情報をメモリに記憶する。そして、パスワードが不要で再生可能な全てのグループのオーディオ情報の再生を実行して再生が終了した後、隠蔽グループ有無判定手段は、前記メモリからオーディオ・マネージャ情報に含まれる隠蔽グループ情報を読み出し、その隠蔽グループ情報に基づいて当該光ディスクに隠蔽グループ情報が有るか否かを判定する。隠蔽グループ情報が有れば、パスワード表示処理手段は、隠蔽グループ情報からパスワードを取り出し、表示手段に表示する。
【００１３】
この構成の光ディスク再生装置によれば、ディスク取扱説明書にパスワードが記載されていない場合や、再生中に表示されたパスワードのヒントを見ても分からない場合でも、ユーザはパスワードを知ることができ、しかも、パスワードが不要で再生可能な全てのグループのオーディオ情報の再生を実行して再生が終了した後、ユーザはパスワードを知って、後の楽しみで隠蔽グループのオーディオ情報を再生することができる。したがって、本来のパスワードの使用目的を果たしつつ、隠蔽グループのオーディオ情報をむやみに再生するようなことがなく、通常操作では再生できない隠蔽グループとしての役割を果たすことができる。
【００１４】
請求項２の発明は、光ディスクにＤＶＤオーディオ規格で記録されたオーディオ情報を再生する光ディスク再生装置において、パスワードが不要で再生可能な全てのグループのオーディオ情報の再生を実行して再生が終了した後、未再生の隠蔽グループが有れば、その隠蔽グループのオーディオ情報を再生するためのパスワードを表示手段に表示させる制御を行うシステムコントローラを備えたことを特徴とする光ディスク再生装置を提供する。
【００１５】
この構成の光ディスク再生装置によれば、パスワードが不要で再生可能な全てのグループのオーディオ情報の再生を実行して再生が終了した後、未再生の隠蔽グループが有れば、その隠蔽グループのオーディオ情報を再生するためのパスワードを表示手段に表示させるようにしたので、ディスク取扱説明書にパスワードが記載されていない場合や、再生中に表示されたパスワードのヒントを見ても分からない場合でも、ユーザはパスワードを知ることができ、しかも、パスワードが不要で再生可能な全てのグループのオーディオ情報の再生を実行して再生が終了した後、ユーザはパスワードを知って、後の楽しみで隠蔽グループのオーディオ情報を再生することができる。したがって、本来のパスワードの使用目的を果たしつつ、隠蔽グループのオーディオ情報をむやみに再生するようなことがなく、通常操作では再生できない隠蔽グループとしての役割を果たすことができる。
【００１６】
請求項３の発明では、前記システムコントローラは、当該光ディスクに記録された本編のオーディオ情報を再生する前に、当該光ディスクから読み出されたオーディオ・マネージャ情報をメモリに記憶する記憶処理手段と、パスワードが不要で再生可能な全てのグループのオーディオ情報の再生を実行して再生が終了した後、前記メモリからオーディオ・マネージャ情報に含まれる隠蔽グループ情報を読み出し、その隠蔽グループ情報に基づいて当該光ディスクに隠蔽グループが有るか否かを判定する隠蔽グループ有無判定手段と、この隠蔽グループ有無判定手段により隠蔽グループがあると判定されたとき隠蔽グループ情報からパスワードを取り出し表示手段に表示させるパスワード表示処理手段とを有する。
【００１７】
この構成のシステムコントローラによれば、パスワードが不要で再生可能な全てのグループのオーディオ情報の再生を実行して再生が終了した後、未再生の隠蔽グループが有れば、その隠蔽グループのオーディオ情報を再生するためのパスワードを表示手段に表示させることができるようになり、したがって、本来のパスワードの使用目的を果たしつつ、隠蔽グループとしての役割を果たすことに貢献できる。
【００１８】
【発明の実施の形態】
以下、添付図面を参照しつつ、本発明の実施の形態について説明する。図１は本発明の一実施形態に係る光ディスク再生装置の構成を示すブロック図である。この光ディスク再生装置は、光ディスク１を回転させるスピンドルモータ５と、光ディスク１に記録された情報を再生するためのレーザ光を出射すると共に光ディスク１からの反射光を受光する光ピックアップ２と、この光ピックアップ２を光ディスク１の半径方向に移動させるためのスレッド３と、システムコントローラ２２の指示に応じてスピンドルモータ５およびスレッド３を駆動すると共に光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００１９】
また、この光ディスク再生装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをＲＡＭ７に格納するデジタル信号処理部８と、システムコントローラ２２の指示に応じてデジタル信号処理部８から出力されたデータストリームの中からＤＶＤオーディオ規格に基づいているオーディオデータとサブピクチャデータとビデオデータ（静止画データ）とを分離するストリーム分離部９とを備えている。
【００２０】
また、この光ディスク再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力して所定のデコード処理を行うビデオデコーダ１５と、このビデオデコーダ１５でのデコード処理を行うためにデータを一時的に格納すると共に静止画データを格納するＲＡＭ１４とを備えている。
【００２１】
また、この光ディスク再生装置は、システムコントローラ２２の指示に応じてビデオデコーダ１５から出力されたデータとサブピクチャデコーダ１３から出力されたデータとを合成するビデオプロセッサ１７と、このビデオプロセッサ１７から出力された合成データを表示用のビデオ信号に変換して静止画をディスプレイ装置２０に表示させるビデオエンコーダ１８と、オーディオデコーダ１１から出力されたデータをアナログのオーディオ信号に変換して例えばスピーカ１９に供給するＤ／Ａ変換器１６とを備えている。
【００２２】
また、この光ディスク再生装置は、システムコントローラ２２に対して、音声などの再生指示を与えるための再生キーや、再生停止を指示するための停止キーなどの各種操作キーを有する操作部２１と、装置全体を制御するシステムコントローラ２２とを備えている。なお、操作部２１は、リモートコントローラであっても良いし、装置本体の操作パネルに設けられた操作部であっても良い。以上のような構成を有する光ディスク再生装置は、オーディオ情報の再生に伴って、静止画も再生されるようになっている。
【００２３】
ここで、ＤＶＤオーディオディスクのフォーマットで定義されているオーディオ・マネージャ情報（ＡＭＧＩ）について説明する。オーディオ・マネージャ情報は、オーディオ・マネージャ情報管理テーブル（ＡＭＧＩ♯ＭＡＴ）と、オーディオ・タイトル・サーチポインタ・テーブル（ＡＴＴ♯ＳＲＰＴ）と、オーディオ・オンリー・タイトル・サーチポインタ・テーブル（ＡＯＴＴ♯ＳＲＰＴ）と、オーディオ・マネージャ・メニュー・プログラムチェーン情報・ユニット・テーブル（ＡＭＧＭ♯ＰＧＣＩ♯ＵＴ）と、オーディオ・テキスト・データ・マネージャ（ＡＴＸＴＤＴ♯ＭＧ）とを有する。
【００２４】
オーディオ・マネージャ情報管理テーブルには、Ｈｉｄｄｅｎグループ情報（ＨＧＲ♯ＩＮＦ）が有り、このＨｉｄｄｅｎグループ情報には、当該光ディスクにボーナスグループであるＨｉｄｄｅｎグループのオーディオ情報が記録されている場合に、そのＨｉｄｄｅｎグループのオーディオ情報を再生するために必要なパスワードが含まれている。このパスワードは、例えば、４ビットで表される４桁の数字で示される。
【００２５】
図２は本実施形態において  Ｈｉｄｄｅｎ  グループのパスワードを表示するための処理を示すフローチャートである。このフローチャートを参照してパスワード表示処理を説明する。
【００２６】
再生したい光ディスク（ＤＶＤ）１を光ディスク再生装置に挿入して（ステップＳ１）、光ディスク１に対する再生を開始し、本編のオーディオ情報の再生前に再生されたオーディオ・マネージャ情報管理テーブルの情報により、システムコントローラ２２のＤＶＤオーディオ判定手段２２４は、光ディスク１の情報がＤＶＤオーディオであるか否かを判定し（ステップＳ２）、ＤＶＤオーディオであれば、記憶処理手段２２１は、再生するために必要な情報をＲＡＭ２３に記憶する（ステップＳ３）。前記必要な情報には、上述したオーディオ・マネージャ情報が含まれている。
【００２７】
次に、ユーザの操作によりオールグループプレイの指示があると、光ディスク再生装置はオールグループプレイを実行し（ステップＳ４）、全てのグループのオーディオ情報を再生する（ステップＳ５）。但し、ここでの再生はパスワードを使用しなくても再生可能なグループのオーディオ情報を再生することになる。
【００２８】
そして、全グループのオーディオ情報の再生が終了すると（ステップＳ６）、Ｈｉｄｄｅｎグループ有無判定手段２２２は、ＲＡＭ２３に記憶されているＨｉｄｄｅｎグループ情報を読み出して、このＨｉｄｄｅｎグループ情報により光ディスク１の記録情報の中にＨｉｄｄｅｎグループが有るか否かを判定する（ステップＳ７）。
【００２９】
Ｈｉｄｄｅｎグループが有ると判定された場合、パスワード表示処理手段２２３はＨｉｄｄｅｎグループのパスワードをＨｉｄｄｅｎグループ情報より取り出して、例えば、図３に示すように４桁のパスワードをディスプレイ装置２０に表示する（ステップＳ８）。そして、ユーザがディスプレイ装置２０に表示されたパスワードを見て、このパスワードを操作部２１を操作して、システムコントローラ２２に入力する（ステップＳ９）。これにより、システムコントローラ２２は、操作部２１から入力されたパスワードとＨｉｄｄｅｎグループ情報のパスワードとの一致により、Ｈｉｄｄｅｎグループのオーディオ情報を再生するように各部に指示を与え、Ｈｉｄｄｅｎグループのオーディオ情報を再生する（ステップＳ１０）。
【００３０】
Ｈｉｄｄｅｎグループが無いと判定された場合は（ステップＳ７）、例えば図４に示すようにＨｉｄｄｅｎグループ無しの表示を行う（ステップＳ１１）。
【００３１】
なお、上記実施形態では、パスワードを光ディスク再生装置の外部に設けられたディスプレイ装置２０に表示したが、これに限らず、光ディスク再生装置に備えられている表示部にパスワードを表示しても良い。
【００３２】
【発明の効果】
以上のように本発明によれば、当該光ディスクに記録された本編のオーディオ情報を再生する前に、当該光ディスクから読み出されたオーディオ・マネージャ情報をメモリに記憶する記憶処理手段と、パスワードが不要で再生可能な全てのグループのオーディオ情報の再生を実行して再生が終了した後、前記メモリからオーディオ・マネージャ情報に含まれる隠蔽グループ情報を読み出し、その隠蔽グループ情報に基づいて当該光ディスクに隠蔽グループが有るか否かを判定する隠蔽グループ有無判定手段と、この隠蔽グループ有無判定手段により隠蔽グループがあると判定されたとき隠蔽グループ情報からパスワードを取り出し表示手段に表示させるパスワード表示処理手段とを有するシステムコントローラを備えたので、ディスク取扱説明書にパスワードが記載されていない場合や、再生中に表示されたパスワードのヒントを見ても分からない場合でも、ユーザはパスワードを知ることができ、しかも、パスワードが不要で再生可能な全てのグループのオーディオ情報の再生を実行して再生が終了した後、ユーザはパスワードを知って、後の楽しみで隠蔽グループのオーディオ情報を再生することができる。したがって、本来のパスワードの使用目的を果たしつつ、隠蔽グループのオーディオ情報をむやみに再生するようなことがなく、通常操作では再生できない隠蔽グループとしての役割を果たすことができる。
【００３３】
また、本発明によれば、パスワードが不要で再生可能な全てのグループのオーディオ情報の再生を実行して再生が終了した後、未再生の隠蔽グループが有れば、その隠蔽グループのオーディオ情報を再生するためのパスワードを表示手段に表示させる制御を行うシステムコントローラを備えたので、ディスク取扱説明書にパスワードが記載されていない場合や、再生中に表示されたパスワードのヒントを見ても分からない場合でも、ユーザはパスワードを知ることができ、しかも、パスワードが不要で再生可能な全てのグループのオーディオ情報の再生を実行して再生が終了した後、ユーザはパスワードを知って、後の楽しみで隠蔽グループのオーディオ情報を再生することができる。したがって、本来のパスワードの使用目的を果たしつつ、隠蔽グループのオーディオ情報をむやみに再生するようなことがなく、通常操作では再生できない隠蔽グループとしての役割を果たすことができる。
【図面の簡単な説明】
【図１】本発明の一実施形態に係る光ディスク再生装置の構成を示すブロック図である。
【図２】前記実施形態においてＨｉｄｄｅｎグループのパスワードを表示するための処理を示すフローチャートである。
【図３】前記実施形態においてＨｉｄｄｅｎグループが有った場合にパスワードが表示された表示画面を示す図である。
【図４】前記実施形態においてＨｉｄｄｅｎグループが無かった場合に表示された表示画面を示す図である。
【符号の説明】
１    光ディスク
２０    ディスプレイ装置（表示手段）
２２    システムコントローラ
２３    ＲＡＭ（メモリ）
２２１    記憶処理手段
２２２    Ｈｉｄｄｅｎグループ有無判定手段（隠蔽グループ有無判定手段）
２２３    パスワード表示処理手段
【図１】
2004362702.tif 000003
【図２】
2004362702.tif 000004
【図３】
2004362702.tif 000005
【図４】
2004362702.tif 000006